(57)【要約】【課題】ほぞ組みに代わる石塔の転倒防止手段を提供する。【解決手段】棹石３の下面中央に穴６をあけ、その中にアンカーボルト７のスリーブ７ａを挿入し、心棒７ｂを打ち込んで固定する。アンカーボルトのねじ部７ｄにねじ筒９を螺合し、これに支持ボルト５を螺合する。台石２には中央にボルト穴１０をあけておき、ボルト穴に支持ボルト５を挿入するようにして、棹石３を台石２に載せる。台石２の下に突き出た支持ボルト５の下端にナット１１を螺合して締め付ける。【選択図】図１
2006152603.tif 000002
【特許請求の範囲】
【請求項１】
最上段の石材の底面にアンカーボルトを立て込み、該アンカーボルトにねじ筒を介して支持ボルトを繋ぎ足し、該支持ボルトを最上段のものを除く石材に挿通して下端をナット締めした石塔。
【請求項２】
該アンカーボルトにプレートを固定し、該プレートを、最上段の石材の底面に立て込んだ補助アンカーボルトと結合した請求項１に記載の石塔。
【請求項３】
該支持ボルトの下端を納骨堂の天板に固定した請求項１または２に記載の石塔。
【請求項４】
地中にアンカーを固定し、該アンカーと該支持ボルトの下端を、納骨堂内に収納したターンバックルで結合した請求項１、２または３に記載の石塔。
【発明の詳細な説明】
【技術分野】
【０００１】
本発明は、墓石などの石塔が地震や台風などで転倒するのを防止するものである。
【背景技術】
【０００２】
地震や台風で転倒しないよう、従来の墓石には、上下の石材をほぞ組みにしたものがある。しかし、ほぞは短いので地震のときに抜け易く、また、ほぞ穴の中に接着剤で固着するので、後で解体移設が難しいという問題がある。
【発明の開示】
【発明が解決しようとする課題】
【０００３】
この発明は、ほぞ組みに代わる石塔の転倒防止手段を提供する。
【課題を解決するための手段】
【０００４】
この発明の石塔は、最上段の石材の底面にアンカーボルトを立て込み、アンカーボルトにねじ筒を介して支持ボルトを継ぎ足し、支持ボルトを下の段の石材に挿通してその下端をナット締めするようにしたものである（請求項１）。このものでは、石塔の中にボルトを通したので、地震の際の倒壊を防止する効果がある。
【０００５】
アンカーボルトは１本だけでもよいが、複数本にする場合は、アンカーボルトに金属プレートを固定し、そのプレートを最上段の石材の底面に立て込んだ補助アンカーボルトと結合する（請求項２）。こうすれば、最上段の石が支持ボルトから外れにくくなる。
【０００６】
石塔が墓石の場合、その下に納骨堂が埋設してあるので、これを利用することができる。すなわち、支持ボルトの下端を納骨堂の天板に固定する（請求項３）。天板は納骨堂の中に嵌り込んでいるので、地震時の墓石の転倒を防止するのに効果がある。
【０００７】
さらに、地中にアンカーを固定し、アンカーと支持ボルトの下端を、納骨堂内に収納したターンバックルで結合するようにしてもよい（請求項４）。こうすればほぼ確実に石塔の転倒を防止することができる。ターンバックルは納骨堂内に収納したので、骨蓋を外して納骨穴から手を入れてターンバックルの締め付け操作を行うことができる。
【発明を実施するための最良の形態】
【０００８】
この墓石は図１に示すように、納骨堂１の上に下台石２ａ、中台石２ｂ、上台石２ｃ、棹石３の順で積み上げられ、中心に金属製の支持ボルト５を通す。支持ボルトはアンカーボルト７を使って棹石３に取り付ける。すなわち、図２に示すように、棹石３の下面中央に穴６をあけ、その中にアンカーボルト７のスリーブ７ａを挿入し、ハンマーで叩いて心棒７ｂを打ち込む。すると、くさび７ｃが押しやられてスリーブ７ａが開き、穴の壁面に喰い込んでアンカーボルトは固定される。このアンカーボルトのねじ部７ｂにねじ筒９を螺合し、このねじ筒に前記の支持ボルト５を螺合する。
【０００９】
下台石、中台石および上台石には中央にボルト穴１０をあけておき、納骨堂１の上にこれらの石を積み上げ、ボルト穴に支持ボルト５を挿入するようにして、棹石３を上台石２ｃに載せる。下台石２ａの下に突き出た支持ボルト５の下端にナット１１を螺合して締め付ける（図１）。このように墓石の中に支持ボルトを通して緊締したので、下台石２ａ、中台石２ｂ、上台石２ｃ、棹石３が一体に連結されるので、墓石の転倒が防止できる。
【００１０】
納骨堂１の天板１２は納骨堂本体に嵌り込んでいるので、水平方向には動かない。そこで、図１に「別構造」として示すように、支持ボルト５の下端を天板１２に通してから、ナット１１を螺合緊締するようにすれば、天板と一体になって石塔が横方向にずれにくくなり、転倒に対して一層強固になる。
【００１１】
図３は、墓の基礎コンクリート中に水平に金属棒（アンカー）１３を埋め込み、この棒と支持ボルト５をターンバックル１５で結んで締め付けたものである。ターンバックルの取付けおよび操作は、骨蓋１６を外すとその下に現れる天板１２に開いた納骨穴１７から手を入れて行う（図４も参照）。このものでは石塔を地中のアンカーで固定できるので、いっそう転倒に強くなる。
【００１２】
図５は、アンカーボルトの本数を多くして棹石と支持ボルトの接続をより強固にしたものである。主アンカーボルト７に金属プレート１９を通してナット２０で締め付ける。主アンカーボルトの周りに４本の補助アンカーボルト２１を立て込み、これらを金属プレートに通し、ナット２２で締め付ける。
【図面の簡単な説明】
【００１３】
【図１】石塔の断面図である。
【図２】アンカーボルトの取付け図である。
【図３】石塔の縦断面図である。
【図４】納骨堂の平面図である。
【図５】他の実施例を示す、アンカーボルトの取付け図である。
【符号の説明】
【００１４】
１    納骨堂
２    棹石（最上段の石材）
５    支持ボルト
７    アンカーボルト
９    ねじ筒
１２  天板
１３  金属棒（アンカー）
１５  ターンバックル
１９  プレート
２１  補助アンカーボルト
【図１】
2006152603.tif 000003
【図２】
2006152603.tif 000004
【図３】
2006152603.tif 000005
【図４】
2006152603.tif 000006
【図５】
2006152603.tif 000007
【手続補正書】
【提出日】平成16年11月29日(2004.11.29)
【手続補正１】
【補正対象書類名】明細書
【補正対象項目名】０００８
【補正方法】変更
【補正の内容】
【０００８】
この墓石は図１に示すように、納骨堂１の上に下台石２ａ、中台石２ｂ、上台石２ｃ、棹石３の順で積み上げられ、中心に金属製の支持ボルト５を通す。支持ボルトはアンカーボルト７を使って棹石３に取り付ける。すなわち、図２に示すように、棹石３の下面中央に穴６をあけ、その中にアンカーボルト７のスリーブ７ａを挿入し、ハンマーで叩いて心棒７ｂを打ち込む。すると、くさび７ｃが押しやられてスリーブ７ａが開き、穴の壁面に喰い込んでアンカーボルトは固定される。このアンカーボルトのねじ部７ｄにねじ筒９を螺合し、このねじ筒に前記の支持ボルト５を螺合する。
【手続補正２】
【補正対象書類名】明細書
【補正対象項目名】００１４
【補正方法】変更
【補正の内容】
【００１４】
１    納骨堂
３    棹石（最上段の石材）
５    支持ボルト
７    アンカーボルト
９    ねじ筒
１２  天板
１３  金属棒（アンカー）
１５  ターンバックル
１９  プレート
２１  補助アンカーボルト